(57)【要約】【課題】電源スイッチを有するテーブルタップにおいて、電源スイッチのオン状態またはオフ状態における美観性の低下を抑制するテーブルタップを提供する。【解決手段】テーブルタップ１は、外枠を構成するタップ本体部１０と、タップ本体部１０に接続されるとともに外部電源と接続するケーブル部２０と、タップ本体部１０に収納されるとともにケーブル部２０から栓刃挿通部４０への電力供給のオン状態及びオフ状態を切り替える複数の電源スイッチとを備えている。この電源スイッチとして、押操作するための操作釦３１ａを有する押釦式スイッチが用いられ、操作釦３１ａにおいて使用者の指が接触する操作面３１ａ５は、電源スイッチがオフ状態のときにタップ本体部１０の上面と面一となるとともに、電源スイッチがオン状態のときにタップ本体部の上面と異なる位置となる。【選択図】図１
2010272371.tif 000002
【特許請求の範囲】
【請求項１】
外枠を構成するタップ本体部と、同タップ本体部に設けられるとともにプラグの栓刃を挿入する栓刃挿入口を有する栓刃挿通部と、前記タップ本体部に接続されるとともに外部電源と接続するケーブル部と、前記タップ本体部に収納されるとともに前記ケーブル部から前記栓刃挿通部への電力供給のオン状態及びオフ状態を切り替える複数の電源スイッチとを備えるテーブルタップにおいて、
前記電源スイッチとして、押操作するための操作釦を有し、前記操作釦が押操作された後には同操作釦が押操作された後の状態に維持され、再び前記操作釦が押操作された後には同操作釦が元の位置に戻るロック式の押釦式スイッチが用いられ、
前記操作釦において使用者が押操作するときに接触する操作面は、前記電源スイッチがオフ状態のときに前記タップ本体部を構成する複数の外面のうちの一の外面と面一となるとともに、前記電源スイッチがオン状態のときに前記タップ本体部の前記一の外面と異なる位置となる
ことを特徴とするテーブルタップ。
【請求項２】
外枠を構成するタップ本体部と、同タップ本体部に設けられるとともにプラグの栓刃を挿入する栓刃挿入口を有する栓刃挿通部と、前記タップ本体部に接続されるとともに外部電源と接続するケーブル部と、前記タップ本体部に収納されるとともに前記ケーブル部から前記栓刃挿通部への電力供給のオン状態及びオフ状態を切り替える複数の電源スイッチとを備えるテーブルタップにおいて、
前記電源スイッチとして、押操作するための操作釦を有し、前記操作釦が押操作された後には同操作釦が押操作された後の状態に維持され、再び前記操作釦が押操作された後には同操作釦が元の位置に戻るロック式の押釦式スイッチが用いられ、
前記操作釦において使用者が押操作するときに接触する操作面は、前記電源スイッチがオン状態のときに前記タップ本体部を構成する複数の外面のうちの一の外面と面一となるとともに、前記電源スイッチがオフ状態のときに前記タップ本体部の前記一の外面と異なる位置となる
ことを特徴とするテーブルタップ。
【請求項３】
請求項１または請求項２に記載のテーブルタップにおいて、
前記栓刃挿通部と前記操作面とは、前記タップ本体部を構成する複数の外面のうちの互いに異なる外面にて設けられる
ことを特徴とするテーブルタップ。
【請求項４】
請求項１〜請求項３のいずれか一項に記載のテーブルタップにおいて、
前記タップ本体部には、前記電源スイッチのオン状態及びオフ状態を表示する表示部が設けられる
ことを特徴とするテーブルタップ。
【請求項５】
請求項４に記載のテーブルタップにおいて、
前記表示部は、前記タップ本体部を構成する複数の外面のうちの前記操作面が設けられる外面と同じ外面に設けられる
ことを特徴とするテーブルタップ。
【発明の詳細な説明】
【技術分野】
【０００１】
本発明は、外枠を構成するタップ本体部と、このタップ本体部に設けられるとともにプラグの栓刃を挿入する栓刃挿入口を有する栓刃挿通部と、タップ本体部に接続されるとおもに外部電源と接続するケーブル部と、タップ本体部に収納されるとともにケーブル部から栓刃挿通部への電力供給のオン状態及びオフ状態を切り替える複数の電源スイッチとを備えるテーブルタップに関する。
【背景技術】
【０００２】
一般に、テーブルタップは、ハンドルが揺動操作されることにより、ケーブル部から栓刃挿通部の電力供給のオン状態及びオフ状態を行う電源スイッチが設けられるものが知られている（例えば特許文献１参照）。
【０００３】
図１１を参照して、従来のテーブルタップ１００の構造について説明する。
図１１に示すように、テーブルタップ１００には、外枠を構成する直方体状のタップ本体部１１０が設けられている。このタップ本体部１１０には、長手方向に所定間隔を介して３つの電源スイッチ１２０（図１３参照）の揺動ハンドル１６０が設けられている。これらの電源スイッチ１２０は、揺動ハンドル１６０を使用者が押操作することにより、電源スイッチ１２０のオン状態及びオフ状態が切り替えられる、いわゆるタンブラ式スイッチである。
【０００４】
この揺動ハンドル１６０は、電源スイッチ１２０をオン状態にするときには、同揺動ハンドル１６０の長手方向の手前側を下方に押操作し、電源スイッチ１２０をオフ状態にするときには、同揺動ハンドル１６０の長手方向の奥側を下方に押操作する。これにより電源スイッチ１２０がオン状態のときには、図１２に示すように、揺動ハンドル１６０は、その長手方向の手前側が下方となるとともに長手方向の奥側が上方となるように傾斜した状態が維持されるようになる。一方、電源スイッチ１２０がオフ状態のときには、揺動ハンドル１６０は、その長手方向の手前側が上方となるとともに長手方向の奥側が下方となるように傾斜した状態が維持されるようになる。
【先行技術文献】
【特許文献】
【０００５】
【特許文献１】特開２００７−１０３２５６号公報
【発明の概要】
【発明が解決しようとする課題】
【０００６】
ところで、上述の従来のテーブルタップ１００においては、揺動ハンドル１６０が電源スイッチ１２０のオン状態及びオフ状態に係わらず、タップ本体部１１０の上面１１１から突出していた。これにより、電源スイッチ１２０のオン状態及びオフ状態に係わらず、テーブルタップ１００の美観性が低下してしまっていた。
【０００７】
本発明は、上記実情に鑑みてなされたものであり、その目的とするところは、電源スイッチを有するテーブルタップにおいて、電源スイッチのオン状態またはオフ状態における美観性の低下を抑制するテーブルタップを提供することにある。
【課題を解決するための手段】
【０００８】
以下、上記目的を達成するための手段及びその作用効果について記載する。
（１）請求項１に記載の発明は、外枠を構成するタップ本体部と、同タップ本体部に設けられるとともにプラグの栓刃を挿入する栓刃挿入口を有する栓刃挿通部と、前記タップ本体部に接続されるとともに外部電源と接続するケーブル部と、前記タップ本体部に収納されるとともに前記ケーブル部から前記栓刃挿通部への電力供給のオン状態及びオフ状態を切り替える複数の電源スイッチとを備えるテーブルタップにおいて、前記電源スイッチとして、押操作するための操作釦を有し、前記操作釦が押操作された後には同操作釦が押操作された後の状態に維持され、再び前記操作釦が押操作された後には同操作釦が元の位置に戻るロック式の押釦式スイッチが用いられ、前記操作釦において使用者が押操作するときに接触する操作面は、前記電源スイッチがオフ状態のときに前記タップ本体部を構成する複数の外面のうちの一の外面と面一となるとともに、前記電源スイッチがオン状態のときに前記タップ本体部の前記一の外面と異なる位置となることを要旨とする。
【０００９】
この発明によれば、電源スイッチがオフ状態のときに、操作面とタップ本体部の一の外面とが面一となるため、電源スイッチがオフ状態のときに操作面がタップ本体部の一の外面から突出する構造と比較して、テーブルタップの美観性が低下することを抑制することができるようになる。
【００１０】
（２）請求項２に記載の発明は、外枠を構成するタップ本体部と、同タップ本体部に設けられるとともにプラグの栓刃を挿入する栓刃挿入口を有する栓刃挿通部と、前記タップ本体部に接続されるとともに外部電源と接続するケーブル部と、前記タップ本体部に収納されるとともに前記ケーブル部から前記栓刃挿通部への電力供給のオン状態及びオフ状態を切り替える複数の電源スイッチとを備えるテーブルタップにおいて、前記電源スイッチとして、押操作するための操作釦を有し、前記操作釦が押操作された後には同操作釦が押操作された後の状態に維持され、再び前記操作釦が押操作された後には同操作釦が元の位置に戻るロック式の押釦式スイッチが用いられ、前記操作釦において使用者が押操作するときに接触する操作面は、前記電源スイッチがオン状態のときに前記タップ本体部を構成する複数の外面のうちの一の外面と面一となるとともに、前記電源スイッチがオフ状態のときに前記タップ本体部の前記一の外面と異なる位置となることを要旨とする。
【００１１】
この発明によれば、電源スイッチがオン状態のときに、操作面とタップ本体部の一の外面とが面一となるため、電源スイッチがオン状態のときに操作面がタップ本体部の一の外面から突出する構造と比較して、テーブルタップの美観性が低下することを抑制することができるようになる。
【００１２】
（３）請求項３に記載の発明は、請求項１または請求項２に記載のテーブルタップにおいて、前記栓刃挿通部と前記操作面とは、前記タップ本体部を構成する複数の外面のうちの互いに異なる外面にて設けられることを要旨とする。
【００１３】
この発明によれば、テーブルタップでは、プラグの栓刃が栓刃挿通部に挿入された状態にて、電源スイッチの操作面の押操作を行う場合がある。このときに栓刃挿通部と操作面とがタップ本体部の同一の外面に設けられた場合、プラグがあるために、操作面の押操作の操作性が低下してしまう。その点において、本発明では栓刃挿通部と操作面とがタップ本体部の異なる外面に設けられるため、操作面の押操作の操作性の低下を抑制することができるようになる。
【００１４】
（４）請求項４に記載の発明は、請求項１〜請求項３のいずれか一項に記載のテーブルタップにおいて、前記タップ本体部には、前記電源スイッチのオン状態及びオフ状態を表示する表示部が設けられることを要旨とする。
【００１５】
この発明によれば、電源スイッチのオン状態のときとオフ状態のときとにおいて操作面の位置が変わらないため、電源スイッチがオン状態かオフ状態かが不明確な場合がある。その点において、本発明では、表示部を設けることにより、電源スイッチのオン状態及びオフ状態を明確に視認することができるようになる。
【００１６】
（５）請求項５に記載の発明は、請求項４に記載のテーブルタップにおいて、前記表示部は、前記タップ本体部を構成する複数の外面のうちの前記操作面が設けられる外面と同じ外面に設けられることを要旨とする。
【００１７】
この発明によれば、表示部と操作面とがタップ本体部の異なる外面に設けられる場合と比較して、操作面と表示部との対応の関係性が分かりやすくなるとともに、表示部を容易に視認することができる。
【発明の効果】
【００１８】
本発明によれば、複数の電源スイッチを有するテーブルタップにおいて、電源スイッチのオン状態及びオフ状態における美観性の低下を抑制するテーブルタップを提供することができる。
【図面の簡単な説明】
【００１９】
【図１】本発明のテーブルタップを具体化した第１の実施形態について、同テーブルタップの斜視構造を示す斜視図。
【図２】同実施形態のテーブルタップについて、同テーブルタップの正面構造、平面構造、下面構造及び側面構造を示す４面図。
【図３】同実施形態のテーブルタップについて、電源スイッチがオン状態及びオフ状態の場合における斜視構造を示す斜視図。
【図４】同実施形態のテーブルタップについて、図２のテーブルタップのＸ−Ｘ断面を示す断面図。
【図５】同実施形態の電源スイッチについて、（ａ）電源スイッチがオフ状態の断面構造を示す断面図、（ｂ）同電源スイッチのＸ１−Ｘ１断面を示す断面図。
【図６】同実施形態の電源スイッチについて、（ａ）電源スイッチがオン状態の断面構造を示す断面図、（ｂ）同電源スイッチのＸ１−Ｘ１断面を示す断面図。
【図７】同実施形態の電源スイッチについて、（ａ）〜（ｃ）電源スイッチがオフ状態からオン状態、及びオン状態からオフ状態に推移するときのカムピンワイヤとハートカムとの関係を示す平面図。
【図８】本発明のテーブルタップを具体化した第２の実施形態について、同テーブルタップの斜視構造を示す斜視図。
【図９】同実施形態のテーブルタップについて、同テーブルタップの正面構造、平面構造、下面構造及び側面構造を示す４面図。
【図１０】同実施形態のテーブルタップについて、電源スイッチがオン状態の側面構造を示す側面図。
【図１１】従来のテーブルタップについて、同テーブルタップの斜視構造を示す斜視図。
【図１２】従来のテーブルタップについて、同テーブルタップにおける両側の電源スイッチがオン状態であり、中央の電源スイッチがオフ状態のときの斜視構造を示す斜視図。
【図１３】従来のテーブルタップについて、図１２のテーブルタップのＹ−Ｙ断面を示す断面図。
【図１４】従来のテーブルタップについて、図１２のテーブルタップの側面構造を示す側面図。
【発明を実施するための形態】
【００２０】
（第１の実施形態）
図１〜図７を参照して、本発明のテーブルタップを具体化した第１の実施形態について説明する。
【００２１】
図１に示すように、テーブルタップ１は、その外枠を構成する直方体状のタップ本体部１０に外部電源からの電力供給を行うケーブル部２０が接続されている。このタップ本体部１０内には、プラグの栓刃との電気的導通を図る刃受部４０と、押操作によりケーブル部２０と刃受部４０との電力供給の電気的導通（以下、「オン状態」）及び遮断（以下、「オフ状態」）を切り替える操作部３１を有する電源スイッチ３０とが収納されている。また、テーブルタップ１には、電源スイッチ３０のオン状態及びオフ状態のそれぞれの状態を示す表示部５０が設けられている。
【００２２】
以降では、タップ本体部１０の長手方向を「長手方向」とし、タップ本体部１０の短手方向を「短手方向」とし、長手方向及び短手方向に対して直交する方向を「上下方向」とする。長手方向において、ケーブル部２０が配設される側を「奥側」とし、その反対側を「手前側」とする。また短手方向において、ケーブル部２０が配設される側を「奥側」とし、その反対側を「手前側」とする。また上下方向において、電源スイッチ３０の操作部３１が設けられる側を「上側」とし、その反対側を「下側」とする。
【００２３】
図２に示すように、タップ本体部１０は、上下方向の下側に向かい開口するカバー１１と、上下方向の上側に向かい開口するボディ１２とが互いに嵌合することにより構成されている。これらカバー１１とボディ１２とは、その外郭が互いに同一となるように形成されている。このタップ本体部１０の各寸法の関係は、その長手方向の長さＬ１が最も大きく、次いで短手方向の長さＬ２、上下方向の高さＬ３の順に大きくなる（Ｌ１＞Ｌ２＞Ｌ３）。即ち、タップ本体部１０は上下方向において扁平状に形成されている。そしてタップ本体部１０の上下方向の上側には、操作部３１が同タップ本体部１０から露出する態様にて配設されている。
【００２４】
カバー１１には、その上面１１ａに長手方向に所定間隔を介して３つの釦挿通部１３が設けられている。これら釦挿通部１３のそれぞれは、上下方向に貫通するとともに平面視において円形の貫通孔として形成されている。これら釦挿通部１３のそれぞれには、電源スイッチ３０の操作部３１が挿通されている。また、カバー１１の短手方向の手前側の第１側面１１ｂには、上下方向の上側に向かい凹む凹形状の刃受部４０を挿通するための第１刃受挿通部１４が設けられている。
【００２５】
また、上面１１ａには、長手方向に所定間隔を介して３つの開口部１７が設けられている。これら開口部１７のそれぞれは、上下方向に貫通するとともに平面視において長方形の貫通孔として形成されている。これら開口部１７のそれぞれは、各電源スイッチ３０に対応したところにそれぞれ設けられている。具体的には、開口部１７は、各電源スイッチ３０に対して短手方向の手前側となるとともに、同電源スイッチ３０の操作面３１ａ５の中心Ｃ１と開口部１７の中心Ｃ２とが長手方向に一致するところに設けられている。これら各開口部１７には、透明な樹脂材料である表示カバー体１８が固定されている。
【００２６】
また、カバー１１の外面形状は以下の態様にて形成されている。
即ち、カバー１１の上面１１ａにおける釦挿通部１３及び開口部１７以外の部位は、長手方向及び短手方向に沿った平面にて形成されている。また、カバー１１の第１側面１１ｂにおける第１刃受挿通部１４以外の部位は、長手方向及び上下方向に沿った平面にて形成されている。そして第１側面１１ｂに対して短手方向の反対側の第２側面１１ｃは、長手方向及び上下方向に沿った平面にて形成されている。また、カバー１１の長手方向の側面である第３側面１１ｄ及び第４側面１１ｅは、短手方向及び上下方向に沿った平面にて形成されている。
【００２７】
ボディ１２には、その短手方向の手前側の第１側面１２ｂに上下方向の下側に向かい凹む凹形状の刃受部４０を挿通するための第２刃受挿通部１５が設けられている。これら第１刃受挿通部１４及び第２刃受挿通部１５により、タップ本体部１０を短手方向に貫通する貫通孔であるとともに刃受部４０を挿通する刃受挿通部１６が構成されている。
【００２８】
また、ボディ１２の外面形状は以下の態様にて形成されている。
即ち、ボディ１２の上下方向の下側の面である下面１２ａは、長手方向及び短手方向に沿った平面にて形成されている。また、ボディ１２の第１側面１２ｂにおける第２栓刃挿通部１５以外の部位は、長手方向及び上下方向に沿った平面にて形成されている。そして第１側面１２ｂに対して短手方向の反対側の第２側面１２ｃは、長手方向及び上下方向に沿った平面にて形成されている。また、ボディ１２の長手方向の側面である第３側面１２ｄ及び第４側面１２ｅは、短手方向及び上下方向に沿った平面にて形成されている。
【００２９】
次に、カバー１１及びボディ１２の各外面形状により、タップ本体部１０の外面形状は以下の態様にて形成されている。
即ち、カバー１１の上面１１ａがタップ本体部１０の上面に相当するため、タップ本体部１０の上面は平面形状にて形成されることになる。また、ボディ１２の下面１２ａがタップ本体部１０の下面に相当するため、タップ本体部１０の下面は平面形状にて形成されることになる。また、第１側面１１ｂ，１２ｂ、第２側面１１ｃ，１２ｃ、第３側面１１ｄ，１２ｄ及び第４側面１１ｅ，１２ｅがそれぞれタップ本体部１０の側面に相当するため、タップ本体部１０の側面はそれぞれ平面形状にて形成されることになる。
【００３０】
次に、図３を参照して、電源スイッチ３０がオン状態及びオフ状態における外観について説明する。なお、図中の長手方向の手前側の１つの電源スイッチ３０はオフ状態を示し、同図中の長手方向の中央及び奥側の２つの電源スイッチ３０はオン状態を示している。
【００３１】
電源スイッチ３０がオフ状態において、電源スイッチ３０の操作部３１の使用者が押操作するときに例えば使用者の指（不図示）が接触する操作面３１ａ５は、その上下方向の位置がカバー１１の上面１１ａの上下方向の位置と同一となるように形成されている。即ち操作面３１ａ５とカバー１１の上面１１ａとは面一となる。
【００３２】
一方、電源スイッチ３０がオン状態において、操作面３１ａ５は、電源スイッチ３０がオフ状態から操作釦３１ａを押操作されるため、その上下方向の位置がカバー１１の上面１１ａの上下方向の位置よりも下側となるように形成されている。
【００３３】
また、これら操作面３１ａ５の外径Ｒ１は、タップ本体部１０の短手方向の長さＬ１の略半分の大きさである。これにより、使用者が操作面３１ａ５の押操作を容易に行うことができるため、電源スイッチ３０の操作部３１の押操作の操作性が向上するようになる。
【００３４】
また、長手方向の奥側の操作面３１ａ５及び中央の操作面３１ａ５の各中心Ｃ１を結んだ距離Ｄ１と、中央の操作面３１ａ５及び長手方向の手前側の操作面３１ａ５の各中心Ｃ１を結んだ距離Ｄ２とは互いに等しくなる。
【００３５】
刃受部４０は、プラグの栓刃（不図示）を挿入するための栓刃挿通部４１と、栓刃挿通部４１より短手方向の奥側に配置されるとともに栓刃を保持する刃受部材（不図示）とにより構成されている。
【００３６】
栓刃挿通部４１には、刃受挿通部１６に取り付けられる本体部４１ａと、同本体部４１ａに設けられるとともに栓刃を挿入するための短手方向に貫通した貫通孔である栓刃挿入口４１ｂとにより構成されている。
【００３７】
表示部５０には、電源スイッチ３０との間の電気的導通及び遮断を電源スイッチ３０の操作部３１の押操作に連動して切り替えられる接触子（不図示）が設けられている。この接触子において電源スイッチ３０の反対側の端部には、接触及び離間を切り替えることにより電気的導通及び遮断が切り替えられる回路基板（不図示）が配設されている。そして、この回路基板には、ネオンランプ等のランプ（不図示）が実装されている。以上の構成により、電源スイッチ３０がオン状態となるときには、接触子と回路基板とが接触することによりランプが点灯するようになる。一方、電源スイッチ３０がオフ状態となるとには、接触子と回路基板とが離間することによりランプが消灯するようになる。
【００３８】
したがって、使用者は、電源スイッチ３０がオン状態のときには、カバー１１の表示カバー体１８を介してランプの点灯を視認することにより、電源スイッチ３０がオン状態であることを認識することができる。また、使用者は、電源スイッチ３０がオフ状態のときには、表示カバー体１８を介してランプの消灯を確認することにより、電源スイッチ３０がオフ状態であることを認識することができる。
【００３９】
図４に示すように、電源スイッチ３０は、操作部３１を上下方向に押操作する押釦式スイッチであり、オン状態にするために一度操作部３１を押操作された後にはオン状態が維持され、オフ状態にするために一度操作部３１を押操作された後にはオフ状態が維持される、いわゆるオルタネイト動作方式が用いられている。そして、電源スイッチ３０は、操作釦３１ａが押操作された後には、操作釦３１ａがその状態が維持され、再び操作釦３１ａが押操作された後には、操作釦３１ａが元の位置に戻るロック式が用いられている。この電源スイッチ３０は、回路基板３２上に配置される外枠を構成するケース３３と、同ケース３３内に収納される上述の操作部３１、端子部３４及び開閉部３５とにより構成されている。
【００４０】
操作部３１には、外側円筒部３１ａ１及び同外側円筒部３１ａ１の上端部から蓋をする蓋部３１ａ２を一体に構成される操作釦３１ａが設けられている。この操作釦３１ａの外側円筒部３１ａ１より内部には、同心円状の内側円筒部３１ａ３が設けられている。蓋部３１ａ２の下面における内側円筒部３１ａ３及び外側円筒部３１ａ１との間には、外側円筒部３１ａ１に収納される態様にて外側コイルばね３１ｂが取り付けられている。
【００４１】
外側円筒部３１ａ１の上下方向の下部には、ハートカム３１ａ４が設けられている。このハートカム３１ａ４には、操作釦３１ａの上下方向の移動を規制するカムピンワイヤ３１ｃが取り付けられている。このカムピンワイヤ３１ｃは、上下方向からの平面視において略Ｃ形状に形成されている。なお、操作面３１ａ５は、蓋部３１ａ２の上下方向の上面として設けられている。
【００４２】
回路基板３２には、その上面３２ａに刃受部と電気的に接続される刃受側ランド３２ｂと、ケーブル部２０と電気的に接続されるケーブル側ランド３２ｃとが設けられている。これらは刃受側ランド３２ｂ及びケーブル側ランド３２ｃは例えば銅箔により構成されている。
【００４３】
ケース３３には、操作部３１の外側円筒部３１ａ１と近接するとともに同外側円筒部３１ａ１を挿通可能とする外側周壁部３３ａと、同外側周壁部３３ａより内部に設けられる内側周壁部３３ｂとが設けられている。この内側周壁部３３ｂには、同内側周壁部３３ｂの外周面に外側コイルばね３１ｂが嵌合する態様にて取り付けられている。
【００４４】
端子部３４には、ケーブル部２０と接続するケーブル接続端子３４ａと、刃受部４０と接続する刃受接続端子（不図示）とが設けられている。ケーブル接続端子３４ａは、３つの電源スイッチ３０に設けられるケーブル接続端子を共通の単一部材として構成されている。これらケーブル接続端子３４ａと刃受接続端子とは、それぞれケーブル側ランド３２ｃと刃受側ランド３２ｂとに電気的に接続されている。これにより、ケーブル部２０の電力は、ケーブル接続端子３４ａを介してケーブル側ランド３２ｃに供給される。また、プラグの栓刃は、刃受接続端子と嵌合することにより、同刃受接続端子を介して刃受側ランド３２ｂと電気的に接続される。
【００４５】
開閉部３５は、操作釦３１ａに取り付けられる第１開閉部３５ａと、第１開閉部３５ａの上下方向の下側に設けられるとともに回路基板３２に取り付けられる第２開閉部３５ｂとにより構成されている。
【００４６】
第１開閉部３５ａには、蓋部３１ａ２の下面における内側円筒部３１ａ３より内部において同内側円筒部３１ａ３内に収納される内側コイルばね３５ｃと、同内側コイルばね３５ｃに取り付けられる第１押圧部材３５ｄとが設けられている。
【００４７】
第１押圧部材３５ｄは、内側コイルばね３５ｃを収納する円筒部３５ｄ１が設けられている。この円筒部３５ｄ１の上下方向の下端部には、同円筒部３５ｄ１を上下方向の下側より蓋をするとともに第２押圧部材３５ｅを押圧するための押圧部３５ｄ２が設けられている。
【００４８】
第２開閉部３５ｂには、回路基板３２の上面３２ａに設けられるとともに、第１押圧部材３５ｄの作用により上下方向に移動可能となる第２押圧部材３５ｅと、第２押圧部材３５ｅの下面に取り付けられる導電性部材の導通部材３５ｆとが設けられている。
【００４９】
導通部材３５ｆは、刃受側ランド３２ｂ及びケーブル側ランド３２ｃの両方ともに接触可能な面積を有する下面３５ｆ１が設けられている。即ち、導通部材３５ｆは、刃受側ランド３２ｂとケーブル側ランド３２ｃとを互いに導通する役割を果たしている。
【００５０】
第２押圧部材３５ｅは、回路基板３２の上面３２ａに設けられる円環状の基部３５ｅ１が設けられている。この基部３５ｅ１には、同基部３５ｅ１の上下方向の上部から内部に向かい延びる円環状の支持部３５ｅ２が設けられている。この支持部３５ｅ２の内縁には、第１押圧部材３５ｄの押圧部３５ｄ２と接触する被押圧部３５ｅ３が設けられている。導通部材３５ｆは、この被押圧部３５ｅ３の下面に取り付けられている。
【００５１】
次に、図５及び図６を参照して、電源スイッチ３０のオフ状態とオン状態との態様について説明する。図５は、電源スイッチ３０がオフ状態を示し、図６は、電源スイッチ３０がオン状態を示し、図中の破線は操作釦３１ａがオフ状態の位置を示している。
【００５２】
図５（ａ）に示すように、電源スイッチ３０がオフ状態のときには、第１押圧部材３５ｄと第２押圧部材３５ｅとが上下方向に所定間隔を介して離間した状態となる。これにより、第２押圧部材３５ｅが第１押圧部材３５ｄに押圧されていないため、導通部材３５ｆと刃受側ランド３２ｂ及びケーブル側ランド３２ｃとが上下方向に所定間隔を介して離間した状態となる。したがって、刃受側ランド３２ｂとケーブル側ランド３２ｃとは互いに離間した状態となり、ケーブル接続端子３４ａ（図４参照）と刃受接続端子とは互いに電気的に遮断された状態となる。
【００５３】
図５（ｂ）に示すように、操作釦３１ａの外側円筒部３１ａ１の上下方向の下端部には、外側に向かい突出する係合突起部３１ａ６が設けられている。この係合突起部３１ａ６は、外側円筒部３１ａ１の周方向において所定間隔を介して２つ設けられている。また、ケース３３の外側周壁部３３ａには、上記係合突起部３１ａ６と係合するための係合溝３３ａ１が設けられている。
【００５４】
これら係合突起部３１ａ６と係合溝３３ａ１との係合関係により、外側コイルばね３１ｂの上下方向の上側へ付勢する力に対して、操作釦３１ａの上下方向の位置が維持されている。具体的には、係合突起部３１ａ６の上面が係合溝３３ａ１の下面と接触することにより、外側コイルばね３１ｂの上記付勢する力が受け止められている。これにより、操作釦３１ａの上下方向の位置が維持されるようになる。
【００５５】
また、第１押圧部材３５ｄの円筒部３５ｄ１の上下方向の中央部には、外側に向かい突出する円環状の係合突起３５ｄ３が設けられている。また、操作釦３１ａの内側円筒部３１ａ３には、上記係合突起３５ｄ３と係合するための係合溝３１ａ７が設けられている。これにより、内側コイルばね３５ｃの上下方向の下側へ付勢する力に対して第１押圧部材３５ｄの操作釦３１ａに対する上下方向の位置が維持されている。具体的には、係合突起３５ｄ３の下面が係合溝３１ａ７の上面と接触することにより、内側コイルばね３５ｃの上記付勢する力が受け止められている。これにより、第１押圧部材３５ｄの上下方向の位置が維持されるようになる。
【００５６】
一方、図６（ａ）に示すように、電源スイッチ３０がオン状態のときには、第１押圧部材３５ｄが第２押圧部材３５ｅを上下方向の下側に押圧した状態となる。これにより、第２押圧部材３５ｅが上下方向の下側に移動するため、導通部材３５ｆと刃受側ランド３２ｂ及びケーブル側ランド３２ｃとが互いに接触した状態となる。したがって、刃受側ランド３２ｂとケーブル側ランド３２ｃとの電気的導通がなされた状態となり、ケーブル接続端子３４ａ（図４参照）と刃受接続端子とは互いに電気的導通がなされた状態となる。
【００５７】
また、カバー１１の釦挿通部１３には、上下方向の下側に延設される下側円筒部１３ａが設けられている。ここで、下側円筒部１３ａの内周面にて規定される内径の大きさは、ケース３３の外側周壁部３３ａの内周面にて規定される内径の大きさと略同一である。そして、これら下側円筒部１３ａ及び外側周壁部３３ａは、操作釦３１ａの外側円筒部３１ａ１と近接するように設けられている。これにより、使用者が操作釦３１ａを押操作するときに、操作釦３１ａが上下方向に対して傾こうとしても下側円筒部１３ａ及び外側周壁部３３ａと接触することにより、その傾きが規制される。これにより、操作部３１の操作性を向上させることができるようになる。
【００５８】
図６（ｂ）に示すように、この状態においては、操作釦３１ａの押操作により外側ばね３１ｂが圧縮されるため、操作釦３１ａの係合突起部３１ａ６の上面とケース３３の係合溝３３ａ１の下面との上下方向の間には、所定の間隔が形成されている。また、第１押圧部材３５ｄの第２押圧部材３５ｅへの押圧の反力により内側ばね３１ｃが圧縮されるため、操作釦３１ａの係合溝３１ａ７の上面と第１押圧部材３５ｄの係合突起３５ｄ３との上下方向の間には、所定の間隙が形成されている。これらの状態が維持されることにより、操作面３１ａ５がカバー１１の上面１１ａより上下方向の下側に位置する状態が維持されるようになる。
【００５９】
次に図７を参照して、電源スイッチ３０のオフ状態及びオン状態の移行に伴うハートカム３１ａ４とカムピンワイヤ３１ｃとの態様について説明する。図７（ａ）及び図７（ｂ）は、電源スイッチ３０がオフ状態のときからオン状態に推移するときのハートカム３１ａ４とカムピンワイヤ３１ｃとの態様について示し、図７（ｃ）は、電源スイッチ３０がオン状態からオフ状態に推移するときのハートカム３１ａ４とカムピンワイヤ３１ｃとの態様について示している。
【００６０】
図７（ａ）に示すように、電源スイッチ３０がオフ状態においては、カムピンワイヤ３１ｃは、ハートカム３１ａ４の上下方向の下側に位置している。そして、操作釦３１ａの押操作に伴い、ハートカム３１ａ４が上下方向の下側に移動するため、カムピンワイヤ３１ｃは、ハートカム３１ａ４の第１係止点ＣＰ１に位置するようになる。
【００６１】
図７（ｂ）に示すように、操作釦３１ａの押操作後には、外側コイルばね３１ｂ（図６参照）の上下方向の上側へ付勢する力によりハートカム３１ａ４が上下方向の上側に移動する。これに伴い、カムピンワイヤ３１ｃは、ハートカム３１ａ４の上下方向の下側の位置からハートカム３１ａ４の中央部に設けられた段差部３１ａ８に当接した状態にて位置するようになる。これにより、外側コイルばね３１ｂの上記付勢する力は、カムピンワイヤ３１ｃと段差部３１ａ８とにより受け止められている。したがって、操作釦３１ａの上下方向の位置は、維持されるようになる（即ち、操作釦３１ａは、図６の状態が維持されるようになる）。これにより、電源スイッチ３０のオン状態が維持されるようになる。
【００６２】
図７（ｃ）に示すように、図７（ｂ）の状態から再び操作釦３１ａの押操作を行うと、ハートカム３１ａ４が上下方向の下側に移動するため、カムピンワイヤ３１ｃは、段差部３１ａ８からハートカム３１ａ４に設けられた第２係止点ＣＰ２に位置するようになる。そして、操作釦３１ａの押操作後において、使用者が操作面３１ａ５から指を離すと、外側コイルばね３１ｂの上下方向の上側へ付勢する力によりハートカム３１ａ４が上下方向の上側に移動する。これに伴い、カムピンワイヤ３１ｃは、第２係止点ＣＰ２から図７（ａ）の状態であるハートカム３１ａ４の上下方向の下側に位置するようになる。これにより、電源スイッチ３０のオフ状態が維持されるようになる。
【００６３】
次に、図１〜図３と図１３及び図１４を参照して、本実施形態のテーブルタップ１と従来のテーブルタップ１００との電源スイッチの操作部の比較について説明する。
図１３を参照して、従来のテーブルタップ１００の電源スイッチ１２０の構造について説明する。
【００６４】
この電源スイッチ１２０は、揺動ハンドル１６０が押操作により揺動し、同電源スイッチ１２０のオン状態及びオフ状態が切り替えられるタンブラ式の電源スイッチである。この電源スイッチ１２０は、外枠を構成する本体部１３０と、同本体部１３０に収納される端子部１４０及び開閉部１５０と、同電源スイッチ１２０の押操作を行う操作部である揺動ハンドル１６０とにより構成されている。
【００６５】
端子部１４０には、テーブルタップ１００のケーブル部１０１に接続されるケーブル接続端子１４１と、刃受部に接続される刃受接続端子１４２とが設けられている。
開閉部１５０には、刃受接続端子１４２に接触するとともにケーブル接続端子１４１と接触及び離間を切り替える断面Ｕ字形状の開閉素子１５１が設けられている。この開閉素子１５１にはコイルばね１５２の上下方向の下部が嵌合されている。このコイルばね１５２の上下方向の上端部には、揺動ハンドル１６０が取り付けられている。
【００６６】
この電源スイッチ１２０がオフ状態のときには、図中の中央の電源スイッチ１２０に示すように、揺動ハンドル１６０が長手方向の奥側に向かうにつれて上下方向の下側に向かい傾斜する態様となっている。この揺動ハンドル１６０の傾斜に伴いコイルばね１５２が長手方向の手前側に向かうにつれて上下方向の下側に向かい傾斜するようになる。このコイルばね１５２を嵌合している開閉素子１５１は、このコイルばね１５２の傾斜に伴いその上下方向の上端部が長手方向の手前側に傾斜する。これにより、開閉素子１５１とケーブル接続端子１４１とが離間するようになる。したがって、ケーブル接続端子１４１と刃受接続端子１４２とが離間し、電気的に遮断されるようになる。
【００６７】
この電源スイッチ１２０がオン状態のときには、図中の長手方向の両側の電源スイッチ１２０に示すように、揺動ハンドル１６０が長手方向の手前側に向かうにつれて上下方向の下側に向かい傾斜する態様となっている。この揺動ハンドル１６０の傾斜に伴いコイルばね１５２が長手方向の奥側に向かうにつれて上下方向の下側に向かい傾斜するようになる。このコイルばね１５２の傾斜に伴い開閉素子１５１はその上下方向の上端部が長手方向の奥側に傾斜する。これにより、開閉素子１５１とケーブル接続端子１４１とが接触するようになる。したがって、ケーブル接続端子１４１と刃受接続端子１４２とが接触し、電気的導通がなされるようになる。
【００６８】
ところで、揺動ハンドル１６０の押操作を行うためには、揺動ハンドル１６０を開閉素子１５１がケーブル接続端子１４１と接続または離間するまで回動させる必要があり、使用者は揺動ハンドル１６０の長手方向の端部を押操作しなければならない。このような操作態様では、図１４に示すように、電源スイッチ１２０のオン状態及びオフ状態に係わらず、揺動ハンドル１６０がタップ本体部１１０の上面１１１から所定量Ｈ１だけ突出する構造でなければ、その押操作が困難である。しかしながら、このように揺動ハンドル１６０をタップ本体部１１０の上面１１１から所定量Ｈ１だけ突出させる構造とする場合、テーブルタップ１００の外観の美観性が低下してしまう問題があった。さらに、上述の構造では、揺動ハンドル１６０に対して使用者の指や物等が接触しやすくなるため、揺動ハンドル１６０を誤動作してしまう問題もあった。
【００６９】
また、例えば図１２に示すように、３つの電源スイッチ１２０のうちの長手方向の両側の電源スイッチ１２０がオン状態であり、長手方向の中央の電源スイッチ１２０がオフ状態の場合では、隣り合う揺動ハンドル１６０の傾斜具合が異なってしまう。そのため、テーブルタップ１００の美観性がさらに低下してしまう問題があった。これは図１２のような電源スイッチ１２０のオン状態及びオフ状態に限定されることなく、電源スイッチ１２０のオン状態及びオフ状態における他の場合においても同様のことが言える。
【００７０】
その点において、本実施形態では、図１及び図２に示すように、電源スイッチ３０がオフ状態において、操作面３１ａ５とカバー１１の上面１１ａとが面一の構造となるため、電源スイッチ３０がオフ状態において上記外観の美観性の低下及び上記揺動ハンドル１６０の誤動作の両方ともを抑制することができるようになる。
【００７１】
また、特に本実施形態では、図１及び図３に示すように、電源スイッチ３０のオン状態及びオフ状態において、操作釦３１ａが上面１１ａから上下方向の上側に突出することがないため、上記揺動ハンドル１６０の誤動作のような操作部３１の誤動作を確実に抑制することができるようになる。
【００７２】
本実施形態のテーブルタップによれば、以下の効果を奏することができる。
（１）本実施形態によれば、電源スイッチ３０として押釦式スイッチを用い、この電源スイッチ３０の操作面３１ａ５は、電源スイッチ３０がオフ状態のときに上面１１ａと面一となる構成である。この構成によれば、電源スイッチ３０がオフ状態のときに、操作面３１ａ５と上面１１ａとが面一となるため、電源スイッチ３０がオフ状態のときに操作面３１ａ５が上面１１ａから突出する構造または凹む構造と比較して、テーブルタップ１の美観性が低下することを抑制することができるようになる。
【００７３】
また、テーブルタップ１００の電源スイッチ１２０のようなタンブラ式スイッチでは、揺動ハンドル１６０の傾斜方向が変化するが、この揺動ハンドル１６０の傾斜が対象性を有しているため、揺動ハンドル１６０の傾斜方向と電源スイッチ１２０のオン状態及びオフ状態との関係性が認識しにくい問題がある。その点において、電源スイッチ３０のオン状態及びオフ状態において操作面３１ａ５の上面１１ａに対する位置が異なることにより、同操作面３１ａ５の上面１１ａに対する位置を視認することができる。したがって、電源スイッチ３０のオン状態及びオフ状態との判別を容易に確認することができるようになる。
【００７４】
（２）本実施形態によれば、操作面３１ａ５と栓刃挿通部４１とがタップ本体部１０の異なる面に設けられている。したがって、操作面３１ａ５と栓刃挿通部４１とがタップ本体部１０の同一の面に設けられる構成と比較して、操作面の押操作の操作性の低下を抑制することができるようになる。
【００７５】
（３）本実施形態によれば、電源スイッチ３０のオン状態及びオフ状態を示す表示部５０が設けられている。したがって、本実施形態のような操作面３１ａ５の上下方向の位置が電源スイッチ３０のオフ状態及びオン状態において同一である構造であっても、電源スイッチのオン状態及びオフ状態を明確に視認することができるようになる。
【００７６】
（４）本実施形態によれば、タップ本体部１０において操作面３１ａ５と表示部５０とが同一の面に設けられている。したがって、表示部５０と操作面３１ａ５とがタップ本体部１０の異なる面に設けられる場合と比較して、操作面３１ａ５と表示部５０との対応の関係性が分かりやすくなる。その上、操作面３１ａ５の付近に表示部５０が設けられることとなるため、使用者が同表示部５０を視認し易くなる。
【００７７】
（５）本実施形態によれば、タップ本体部１０の上面１１ａの面積が各側面の面積と比較して大きく形成されるとともに、同上面１１ａに操作面３１ａ５が設けられている。したがって、タップ本体部１０の側面に操作面３１ａ５が設けられる構成と比較して、操作面３１ａ５の面積を大きく形成することができるようになり、これに起因して使用者が操作面３１ａ５を押操作する操作性を向上させることができるようになる。
【００７８】
また、一般にテーブルタップ１は、机等に上面１１ａが鉛直方向の上側となる態様にて配置されることが多い。このような場合において、上面１１ａに操作面３１ａ５が設けられることにより、使用者が操作面３１ａ５の押操作の操作性を向上させることができるようになる。
【００７９】
（６）本実施形態によれば、操作面３１ａ５の外径Ｒ１は、カバー１１の短手方向の長さＬ１の略半分に形成されている。したがって、操作面３１ａ５が大きく形成されることとなり、使用者が操作面３１ａ５を押操作しやすくなる。
【００８０】
（７）本実施形態によれば、長手方向の奥側の操作面３１ａ５の中心と中央の操作面３１ａ５の中心とを結んだ距離Ｄ１と、長手方向の手前側の操作面３１ａ５の中心と中央の操作面３１ａ５の中心とを結んだ距離Ｄ２とが互いに等しくなるように各操作面３１ａ５が配設されている。したがって、上記距離Ｄ１，Ｄ２が互いに異なる場合と比較して、テーブルタップ１の外観の美観性の低下を抑制することができるようになる。
【００８１】
（８）本実施形態によれば、電源スイッチ３０の操作釦３１ａの外側円筒部３１ａ１の内部には、同外側円筒部３１ａ１に近接する態様にて外側コイルばね３１ｂが設けられている。したがって、操作釦３１ａは、同操作釦３１ａを押操作するときに外側コイルばね３１ｂの圧縮に伴い上下方向の下側に移動するため、操作面３１ａ５のどの部分を押操作しても同様の操作感触が得られるようになる。したがって、操作部３１の操作性を向上させることができるようになる。
【００８２】
（９）本実施形態によれば、操作面３１ａ５の中心Ｃ１と表示部５０の中心Ｃ２とが長さ方向において同一となる構成である。したがって、上記中心Ｃ１，Ｃ２の長さ方向の位置が互いに異なる構成と比較して、テーブルタップ１の外観の美観性の低下を抑制することができるようになる。
【００８３】
（１０）本実施形態によれば、ケーブル部２０の短手方向の位置と、操作面３１ａ５の短手方向の位置とが略同一となる構成である。したがって、ケーブル部２０と操作面３１ａ５の短手方向の位置が互いに異なる場合と比較して、ケーブル接続端子３４ａの形状を簡単化することができる。
【００８４】
（第２の実施形態）
図８〜図１０を参照して、本発明のテーブルタップを具体化した第２の実施形態について説明する。なお、本実施形態では、第１の実施形態と比較して、電源スイッチ３０がオン状態及びオフ状態における操作面３１ａ５の上下方向の位置が異なっている。以下、本実施形態において、第１の実施形態と同一部位については同一符号を用い、その説明を省略する。
【００８５】
図８及び図９に示すように、テーブルタップ１は、電源スイッチ３０がオフ状態において、操作面３１ａ５がタップ本体部１０の上面であるカバー１１の上面１１ａよりも上下方向の上側に突出している。
【００８６】
図１０に示すように、図９の状態から操作釦３１ａを押操作することにより、電源スイッチ３０がオン状態としたとき、操作面３１ａ５とカバー１１の上面１１ａとは面一となっている。
【００８７】
以上により、本実施形態では、電源スイッチ３０がオン状態において、図１３及び図１４に示す従来構造のテーブルタップ１００において発生していた外観の美観性の低下及び揺動ハンドル１６０の誤動作の両方ともを抑制することができるようになる。
【００８８】
また、電源スイッチ３０として押釦式スイッチを用いているため、操作部３１は上下方向のみの移動となる。したがって、電源スイッチ３０は、電源スイッチ１２０の揺動ハンドル１６０を回動させるために必要であったタップ本体部１１０の上面１１１から突出する所定量Ｈ１を省略することができる。その結果、電源スイッチ３０は、タンブラ式スイッチと比較して、カバー１１の上面１１ａ（タップ本体部１０の上面）からの突出量Ｈ２（図９参照）を上記所定量Ｈ１よりも小さく設定することができる。これにより、電源スイッチ３０がオフ状態においても、上記揺動ハンドル１６０の誤動作を抑制することができるようになる。
【００８９】
また、操作釦３１ａは上下方向の移動のみであるため、操作釦３１ａの位置が互いに異なったとしても、図１４のような従来の電源スイッチ１２０のオン状態及びオフ状態の違いに起因する揺動ハンドル１６０の傾斜具合の違いによる美観性の低下を抑制することができるようになる。
【００９０】
本実施形態によれば、第１の実施形態の効果（２）〜（１０）に準じた効果に加え、以下の効果を奏することができる。
（１１）本実施形態によれば、電源スイッチ３０として押釦式スイッチを用い、この電源スイッチ３０の操作面３１ａ５は、電源スイッチ３０がオン状態のときに上面１１ａと面一となる構成である。この構成によれば、電源スイッチ３０がオン状態のときに、操作面３１ａ５と上面１１ａとが面一となるため、電源スイッチ３０がオン状態のときに操作面３１ａ５が上面１１ａから突出する構造または凹む構造と比較して、テーブルタップ１の美観性が低下することを抑制することができるようになる。
【００９１】
また、テーブルタップ１００の電源スイッチ１２０のようなタンブラ式スイッチでは、揺動ハンドル１６０の傾斜方向が変化するが、この揺動ハンドル１６０の傾斜が対象性を有しているため、揺動ハンドル１６０の傾斜方向と電源スイッチ１２０のオン状態及びオフ状態との関係性が認識しにくい問題がある。その点において、電源スイッチ３０のオン状態及びオフ状態において操作面３１ａ５の上面１１ａに対する位置が異なることにより、同操作面３１ａ５の上面１１ａに対する位置を視認することができる。したがって、電源スイッチ３０のオン状態及びオフ状態との判別を容易に確認することができるようになる。
【００９２】
（その他の実施形態）
本発明のテーブルタップは、上記各実施形態に限定されることなく、例えば以下の変更が可能である。また、以下の変形例は、上記各実施形態についてのみ適用されるものでなく、異なる変形例同士を互いに組み合わせて実施する場合にも適用することもできる。
【００９３】
・上記各実施形態では、電源スイッチ３０の操作部３１の操作釦３１ａの操作面３１ａ５とは各別に表示部５０が設けられたが、操作面３１ａ５と表示部５０との配設関係はこれに限定されることはない。例えば、操作面３１ａ５の一部に表示部５０が設けられる構成とすることもできる。
【００９４】
・上記各実施形態では、操作面３１ａ５と表示部５０とがタップ本体部１０の同一の面に設けられたが、操作面３１ａ５と表示部５０とはタップ本体部１０の異なる面に設けることもできる。
【００９５】
・上記各実施形態では、テーブルタップ１に表示部５０が設けられたが、この表示部５０は省略することもできる。
・上記各実施形態では、操作面３１ａ５と栓刃挿通部４１とがタップ本体部１０の異なる面に設けられたが、操作面３１ａ５と栓刃挿通部４１とはタップ本体部１０の同一の面に設けることもできる。
【００９６】
・第１の実施形態では、電源スイッチ３０がオフ状態において、タップ本体部１０のカバー１１の上面１１ａと操作面３１ａ５とが面一となり、電源スイッチ３０がオン状態において、上面１１ａよりも操作面３１ａ５が上下方向の下側に配置される構成であったが、本発明はこれに限定されることはない。例えば、電源スイッチ３０がオフ状態において、上面１１ａよりも操作面３１ａ５が上下方向の下側に配置され、電源スイッチ３０がオン状態において、上面１１ａと操作面３１ａ５とが面一となる構成とすることもできる。
【００９７】
・第２の実施形態では、電源スイッチ３０がオン状態において、タップ本体部１０のカバー１１の上面１１ａと操作面３１ａ５とが面一となり、電源スイッチ３０がオフ状態において、上面１１ａよりも操作面３１ａ５が上下方向の上側に配置される構成であったが、本発明はこれに限定されることはない。例えば、電源スイッチ３０がオン状態において、上面１１ａよりも操作面３１ａ５が上下方向の上側に配置され、電源スイッチ３０がオフ状態において、上面１１ａと操作面３１ａ５とが面一となる構成とすることもできる。
【００９８】
・上記各実施形態では、操作面３１ａ５の形状が平面視において円形であったが、操作面３１ａ５の形状はこれに限定されることはない。操作面３１ａ５は多角形状とすることもできる。
【００９９】
・上記各実施形態では、電源スイッチ３０及び刃受部４０がそれぞれ３つ設けられたが、電源スイッチ３０及び刃受部４０の個数はこれに限定されることはない。電源スイッチ３０及び刃受部４０が少なくとも１個設けられていればよい。
【０１００】
・本実施形態では、電源スイッチ３０の操作釦３１ａが、例えばオン状態にするために一度押操作されたときには、そのままオン状態が維持される、いわゆるオルタネイト動作方式の電源スイッチであったが、本発明の電源スイッチはこれに限定されることはない。例えばオン状態にするために操作釦３１ａが押操作されている期間においてオン状態が維持され、押操作が中断されたときにはオフ状態となる、いわゆるモーメンタリ動作方式の電源スイッチとすることもできる。
【０１０１】
・上記各実施形態において、タップ本体部１０の一表面と操作面３１ａ５とが面一となる構成としたが、ここで言う「面一」とは、上記一表面と操作面３１ａ５とが完全な同一平面上に形成されることのみではない。組立誤差や各部品の成形誤差等の製造上の誤差により、上記一表面と操作面３１ａ５とが上下方向において多少のずれがあることも含む。
【符号の説明】
【０１０２】
ＣＰ１…第１係止点、ＣＰ２…第２係止点、１…テーブルタップ、１０…タップ本体部、１１…カバー、１１ａ…上面、１１ｂ…第１側面、１１ｃ…第２側面、１１ｄ…第３側面、１１ｅ…第４側面、１２…ボディ、１２ａ…第１側面、１２ｂ…第２側面、１２ｃ…第３側面、１２ｄ…第４側面、１３…釦挿通部、１４…第１刃受挿通部、１５…第２刃受挿通部、１６…刃受挿通部、１７…表示挿通部、１８…表示カバー体、２０…ケーブル部、３０…電源スイッチ、３１…操作部、３１ａ…操作釦、３１ａ１…外側円筒部、３１ａ２…蓋部、３１ａ３…内側円筒部、３１ａ４…ハートカム、３１ａ５…操作面、３１ａ６…係合突起部、３１ａ７…係合溝、３１ａ８…段差部、３１ｂ…外側コイルばね、３１ｃ…カムピンワイヤ、３２…回路基板、３２ａ…上面、３２ｂ…刃受側ランド部、３２ｃ…ケーブル側ランド部、３３…ケース、３３ａ…外側周壁部、３３ｂ…内側周壁部、３４…端子部、３４ａ…ケーブル接続端子、３５…開閉部、３５ａ…第１開閉部、３５ｂ…第２開閉部、３５ｃ…内側コイルばね、３５ｄ…第１押圧部材、３５ｄ１…円筒部、３５ｄ２…押圧部、３５ｅ…第２押圧部材、３５ｅ１…基部、３５ｅ２…支持部、３５ｅ３…被押圧部、３５ｆ…導通部材、３５ｆ１…下面、４０…刃受部、４１…栓刃挿通部、４１ａ…本体部、４１ｂ…栓刃挿入口、５０…表示部。
【図１】
2010272371.tif 000003
【図２】
2010272371.tif 000004
【図３】
2010272371.tif 000005
【図４】
2010272371.tif 000006
【図５】
2010272371.tif 000007
【図６】
2010272371.tif 000008
【図７】
2010272371.tif 000009
【図８】
2010272371.tif 000010
【図９】
2010272371.tif 000011
【図１０】
2010272371.tif 000012
【図１１】
2010272371.tif 000013
【図１２】
2010272371.tif 000014
【図１３】
2010272371.tif 000015
【図１４】
2010272371.tif 000016